(57)【特許請求の範囲】
【請求項１】
平面形状が長方形の床パネルによって床が構成され、該床パネルの側縁部に沿って立設された壁パネルによって壁が構成されている建物ユニットを建築現場で複数接合させて構成したユニット建物において、
前記建物ユニットは、前記床パネルの側縁部に沿って立設された桁壁バネルと、該桁壁パネルと連続して短辺部側に立設された妻壁パネルによって壁が構成され、
該妻壁パネルは、前記建物ユニットの妻幅に対して狭幅形状に形成され、
該建物ユニットの妻側側面には壁のない領域が設けられ、
この壁のない領域の同一直線上に壁が残されている建物ユニットを２つ以上有し、それらの建物ユニットが、壁のない領域が隣接されて同一直線上に並ぶように配置され、それらの建物ユニットの壁のない領域に跨がって面形状の開口部を有している壁パネルが設けられ、この開口部が前記建物ユニットの継ぎ目に設けられていることを特徴とするユニット建物。
【請求項２】
平面形状が長方形の床パネルによって床が構成され、該床パネルの側縁部に沿って立設された壁パネルによって壁が構成されている建物ユニットを建築現場で複数接合させて構成したユニット建物において、
前記建物ユニットは、前記床パネルの側縁部に沿って立設された桁壁バネルと、該桁壁パネルと連続して短辺部側に立設された妻壁パネルによって壁が構成され、
該妻壁パネルは、前記建物ユニットの妻幅に対して狭幅形状に形成され、
該建物ユニットの妻側側面には壁のない領域が設けられ、
この壁のない領域の同一直線上に壁が残されている建物ユニットを２つ以上有し、それらの建物ユニットが、壁のない領域が所定間隔を設けて離間して同一直線上に配置され、該間隙には床パネルが隙間を埋めるように配設されることにより該建物ユニット間に継ぎ目が形成されると共にそれらの建物ユニットの壁のない領域と間隙に跨がって面形状の開口部を有している壁パネルが設けられ、この開口部が前記建物ユニットの継ぎ目に設けられていることを特徴とするユニット建物。
【発明の詳細な説明】
【０００１】
【産業上の利用分野】
本発明は、ユニット建物に関する。
【０００２】
【従来の技術】
工場で量産した複数の箱形建物ユニットを建築現場で接合させてユニット建物を構築する手法は、現場での施工工数を少なくすることができるので、施工期間の短縮を図る上で非常に有利である。
【０００３】
【発明が解決しようとする課題】
しかしながら、箱形の建物ユニットのみで壁が構成されているユニット建物では、建物ユニットの継ぎ目に壁の継ぎ目が形成されてしまうので、建物ユニットを跨ぐ位置に開口を設けることができず、開口位置の自由度が低いという問題があった。また特開平７−１１３２６６号公報に記載されたような建物ユニットに現地で壁・床パネルを組み合わせるユニット建物においても建物ユニットと壁パネルをまたぐ位置には開口を設けることはできず、同様の問題があった。
【０００４】
そこで、本発明では、上記のような問題に着目し、ユニット建物における開口位置の自由度の拡大を図ることを目的としている。
【０００５】
【課題を解決するための手段】
上記目的を達成するために、請求項１記載の発明では、平面形状が長方形の床パネルによって床が構成され、該床パネルの側縁部に沿って立設された壁パネルによって壁が構成されている建物ユニットを建築現場で複数接合させて構成したユニット建物において、前記建物ユニットは、前記床パネルの側縁部に沿って立設された桁壁バネルと、該桁壁パネルと連続して短辺部側に立設された妻壁パネルによって壁が構成され、該妻壁パネルは、前記建物ユニットの妻幅に対して狭幅形状に形成され、該建物ユニットの妻側側面には壁のない領域が設けられ、この壁のない領域の同一直線上に壁が残されている建物ユニットを２つ以上有し、それらの建物ユニットが、壁のない領域が隣接されて同一直線上に並ぶように配置され、それらの建物ユニットの壁のない領域に跨がって面形状の開口部を有している壁パネルが設けられ、この開口部が前記建物ユニットの継ぎ目に設けられている構成とした。
【０００６】
請求項２記載の発明では、平面形状が長方形の床パネルによって床が構成され、該床パネルの側縁部に沿って立設された壁パネルによって壁が構成されている建物ユニットを建築現場で複数接合させて構成したユニット建物において、前記建物ユニットは、前記床パネルの側縁部に沿って立設された桁壁バネルと、該桁壁パネルと連続して短辺部側に立設された妻壁パネルによって壁が構成され、該妻壁パネルは、前記建物ユニットの妻幅に対して狭幅形状に形成され、該建物ユニットの妻側側面には壁のない領域が設けられ、この壁のない領域の同一直線上に壁が残されている建物ユニットを２つ以上有し、それらの建物ユニットが、壁のない領域が所定間隔を設けて離間して同一直線上に配置され、該間隙には床パネルが隙間を埋めるように配設されることにより該建物ユニット間に継ぎ目が形成されると共にそれらの建物ユニットの壁のない領域と間隙に跨がって面形状の開口部を有している壁パネルが設けられ、この開口部が前記建物ユニットの継ぎ目に設けられている構成とした。
【０００７】
【作用】
請求項１記載の発明では、建物ユニットの壁のない領域に跨がって設けた面形状の壁パネルでユニット建物の壁の一部を構成しているので、建物ユニットの継ぎ目の位置に壁の継ぎ目が形成されないようにすることができ、建物ユニットの継ぎ目に開口部を設けることができる。
【０００８】
請求項２記載の発明では、建物ユニットの壁のない領域と間隙に跨がって設けた面形状の壁パネルでユニット建物の壁の一部を構成しているので、建物ユニットの継ぎ目の位置に壁の継ぎ目が形成されないようにすることができ、建物ユニットの継ぎ目に開口部を設けることができるようになる。しかも、本発明では、側面に壁のない領域が設けられている建物ユニットが、壁のない領域が同一直線上に配設されるように所定の間隙を設けて離間配置されているので、請求項１記載の発明に比べて、壁パネルの横寸法を大きくすることができ、それだけ壁パネルに設ける開口部位置の自由度が拡がる。
【０００９】
さらに、請求項１、２記載の発明では、建物ユニットの単独状態での強度を確保することができ、輸送ならびに施工時に取り扱い易い。
【００１０】
【発明の実施の形態】
まず、図１〜図３に基づき、実施の形態１のユニット建物について詳述する。図１は本実施の形態１のユニット建物を示す正面図、図２は実施の形態１のユニット建物に用いた建物ユニットと壁パネルを示す斜視図、図３は建物ユニットと壁パネルの連結構造を示す斜視図である。
【００１１】
本実施の形態１のユニット建物は２階建て建物で、図１に示すように、１階部分が２つの建物ユニット（居室ユニット）１ａ、１ｂと２枚の壁パネル２ａ，２ｂによって構成され、２階部分が２つの建物ユニット（居室ユニット）３ａ、３ｂによって構成され、屋根部分が２つの建物ユニット（屋根ユニット）４ａ、４ｂによって構成されている。
【００１２】
前記１階部分を構成している建物ユニット１ａ，１ｂは、図２に示すように、平面形状が長方形の床パネル１１によって床が構成され、その床パネル１１の一方の長辺側縁部に沿って立設された桁壁パネル１２と、その壁パネル１２と連続して両方の短辺側縁部に立設された一対の妻壁パネル１３，１３によって壁が構成されており、全体として箱形状に形成されている。前記妻壁パネル１３，１３は、建物ユニット１ａ，１ｂの妻幅に対して１／３〜１／４の幅の狭幅形状に形成されており、よって、建物ユニット１ａ，１ｂの両妻側側面には、壁のない領域が形成されていることになる。また、これらの建物ユニット１ａ，１ｂは、このようにして工場内で箱形状に組み立てられた後に建築現場に輸送され、クレーン等で吊り上げられて建築現場の基礎（図示省略）の上に据え置きされる。この時、２つの建物ユニット１ａ，１ｂは妻側側面の壁のない領域が同一直線上に並ぶように基礎の上に隣接配置される。
【００１３】
前記２枚の壁パネル２ａ，２ｂは、２つの建物ユニット１ａ，１ｂを基礎の上に設置した後の妻壁パネル１３，１３間の間隔に対応した長方形の面形状に形成され、そのほぼ中央位置に開口部２１を有している。そして、これらの壁パネル２ａ，２ｂは、基礎の上に据え置きされた１階の建物ユニット１ａ，１ｂの壁のない領域に跨がって設けられている。
【００１４】
また、前記建物ユニット１ａ，１ｂの壁の上端部と前記壁パネル２ａ，２ｂの上端部とは、図３に示すように、ジョイントプレート５を介して釘６で連結固定されている。また、図示は省略しているが、前記建物ユニット１ａ，１ｂの壁の側部と前記壁パネル２ａ，２ｂの側部との間には、ガスケットあるいは繋ぎ面材が設けられている。
【００１５】
更に、図示は省略しているが、２階部分を構成している建物ユニット３ａ，３ｂも、床パネルによって床が構成されていると共に、壁パネルによって壁が構成されており、これらによって１階の建物ユニット１ａ，１ｂと同一平面形状の箱形状に形成されている。また、これらの建物ユニット３ａ，３ｂは、１階の建物ユニット１ａ，１ｂと同じ向き（桁側側面同士を隣接させた向き）で、１階の建物ユニット１ａ，１ｂの上に設置されている。
【００１６】
このように、本実施の形態１のユニット建物では、建物ユニット１ａ，１ｂの壁と、建物ユニット１ａ，１ｂの壁のない領域に跨がって設けた面形状の壁パネル２ａ，２ｂとでユニット建物の１階部分の壁を構成しているので、建物ユニットの継ぎ目の位置（図１における一点鎖線の位置）に壁の継ぎ目が形成されないようにすることができ、建物ユニットの継ぎ目に開口部２１を設けることができるようになる。すなわち、開口位置の自由度を拡大できる。
【００１７】
しかも、壁パネル２ａ，２ｂをユニット建物の１階部分に用いているために、建築現場においても安全性の高い足場で壁パネル２ａ，２ｂの取り付け作業を行うことができ、２階部分ならびに屋根部分の施工性への悪影響もない。
【００１８】
次に、図４に基づいて、実施の形態２のユニット建物について詳述する。図４は実施の形態２のユニット建物に用いた建物ユニットと壁パネルを示す斜視図である。
【００１９】
本実施の形態２のユニット建物は、１階の建物ユニット１ｃ，１ｄの壁が、床パネル１１の一方の長辺側縁部に沿って立設された桁壁パネル１２のみで構成されており、よって、建物ユニット１ｃ，１ｄの両妻側側面全体に壁のない領域が形成されていることになる。また、壁パネル２ｃ，２ｄは、２つの建物ユニット１ｃ，１ｄの壁のない領域の面積に対応した長方形の面形状に形成されており、そのほぼ中央位置に開口部２１を有している。
【００２０】
つまり、本実施の形態２のユニット建物では、壁パネル２ｃ，２ｄの面積が大きくなっているので、開口位置の自由度も最大限に拡がる。
【００２１】
次に、図５ならびに図６に基づいて、実施の形態３のユニット建物について詳述する。図５は本実施の形態３のユニット建物を示す正面図、図６は実施の形態３のユニット建物に用いた建物ユニットと壁パネルを示す斜視図である。
【００２２】
本実施の形態３のユニット建物は２階建て建物で、図５に示すように、１階部分が２つの建物ユニット（居室ユニット）１ｅ、１ｆと２枚の壁パネル２ｅ，２ｆと一枚の床パネル７によって構成され、２階部分が３つの建物ユニット（居室ユニット）３ｃ、３ｄ，３ｅによって構成され、屋根部分が２つの建物ユニット（屋根ユニット）４ｃ、４ｄ、４ｅによって構成されている。
【００２３】
前記１階部分を構成している建物ユニット１ｅ，１ｆは、図６に示すように、実施の形態１の建物ユニット１ａ，１ｂと同様に、床パネル１１と桁壁パネル１２と妻壁パネル１３，１３によって全体として箱形状に形成されており、両妻側側面には、壁のない領域が形成されている。
【００２４】
また、これらの建物ユニット１ｅ，１ｆは、工場内で箱形状に組み立てられた後に建築現場に輸送され、クレーン等で吊り上げられて建築現場の基礎（図示省略）の上に据え置きされるが、この時、２つの建物ユニット１ｅ，１ｆは妻側側面の壁のない領域が同一直線上に配設されるように所定の間隙を設けて基礎の上に離間配置される。前記床パネル７は、長方形の面形状に形成されており、これらの建物ユニット１ｅ，１ｆの間の隙間を埋めるようにして基礎の上に配設されている。
【００２５】
前記２枚の壁パネル２ｅ，２ｆは、２つの建物ユニット１ｅ，１ｆを基礎の上に設置した後の妻壁パネル１３，１３間の間隔に対応した長方形の面形状に形成され、その右側部分と左側部分のそれぞれに開口部２１，２１を有している。そして、これらの壁パネル２ｅ，２ｆは、基礎の上に据え置きされた１階の建物ユニット１ｅ，１ｆの壁のない領域と間隙に跨がって設けられている。
【００２６】
更に、図示は省略しているが、２階部分を構成している建物ユニット３ｃ，３ｄ，３ｅは、１階の建物ユニット１ｅ，１ｆと同じ向き（桁側側面同士を隣接させた向き）で、１階の建物ユニット１ｅ，１ｆと壁パネル２ｅ，２ｆの上に設置されている。
【００２７】
このように、本実施の形態３のユニット建物では、箱形状の建物ユニット１ｅ，１ｆの壁と面形状の壁パネル２ｅ，２ｆとでユニット建物の１階部分の壁を構成しているので、建物ユニット１ｅ，１ｆと床パネル７との継ぎ目の位置（図５における一点鎖線の位置）に壁の継ぎ目が形成されないようにすることができ、建物ユニット１ｅ，１ｆと床パネル７との継ぎ目に開口部２１を設けることができるようになる。すなわち、開口位置の自由度を拡大できる。
【００２８】
しかも、本実施の形態３のユニット建物では、１階の建物ユニット１ｅ，１ｆが、壁のない領域が同一直線上に配設されるように所定の間隙を設けて離間配置されているので、実施の形態１のユニット建物と比べて、壁パネル２ｅ，２ｆの横幅寸法を大きくすることができ、それだけ壁パネル２ｅ，２ｆに設ける開口位置の自由度も拡がる。また、床パネル７と壁パネル２ｅ，２ｆを用いたことで、１階部分を構成する建物ユニット数を減らすことができるので、建築現場への輸送効率の向上を図ることもできる。
【００２９】
以上、本発明の実施の形態を図面により詳述してきたが、具体的な構成はこの実施の形態に限られるものではなく、本発明の要旨を逸脱しない範囲における設計の変更等があっても本発明に含まれる。例えば、実施の形態では、２階建てのユニット建物に適用した例を示したが、３階建て以上のユニット建物に適用してもよい。また、壁のない領域は、建物ユニットの両妻面に設ける必要はなく、片方の妻面に設けてもよい。更に、建物ユニットの桁面に壁のない領域を設け、建物ユニットの妻面同士を対向させて隣接配置させるようにしてもよい。又、通常の箱形の建物ユニットを一部組み合わせて、ユニット建物を構成してもよい。
【００３０】
【発明の効果】
以上説明したように、本発明のユニット建物にあっては、壁と床からなる建物ユニットと面形状の壁パネルとを組み合わせ、建物ユニットの継ぎ目の位置に壁の継ぎ目が形成されないようにしたので、建物ユニットの継ぎ目に開口部を設けることができるようになり、開口位置の自由度を拡大することができるという効果が得られる。
【図面の簡単な説明】
【図１】  実施の形態１のユニット建物を示す正面図である。
【図２】  実施の形態１のユニット建物に用いた建物ユニットと壁パネルを示す斜視図である。
【図３】  建物ユニットと壁パネルの連結構造を示す斜視図である。
【図４】  実施の形態２のユニット建物に用いた建物ユニットと壁パネルを示す斜視図である。
【図５】  実施の形態３のユニット建物を示す正面図である。
【図６】  実施の形態３のユニット建物に用いた建物ユニットと壁パネルを示す斜視図である。
【符号の説明】
１ａ，１ｂ，１ｃ，１ｄ，１ｅ，１ｆ  建物ユニット（居室ユニット）
１１  床パネル（床）
１２  桁壁パネル（壁）
１３  妻壁パネル（壁）
２ａ，２ｂ，２ｃ，２ｄ，２ｅ，２ｆ  壁パネル
２１  開口部
３ａ，３ｂ，３ｃ，３ｄ，３ｅ  建物ユニット（居室ユニット）
４ａ，４ｂ，４ｃ，４ｄ，４ｅ  建物ユニット（屋根ユニット）
５  ジョイントプレート
６  釘
７  床パネル
【図１】
0003749621.tif 000002
【図２】
0003749621.tif 000003
【図３】
0003749621.tif 000004
【図４】
0003749621.tif 000005
【図５】
0003749621.tif 000006
【図６】
0003749621.tif 000007